【手続補正書】
【提出日】平成29年12月20日(2017.12.20)
【手続補正１】
【補正対象書類名】明細書
【補正対象項目名】０１９６
【補正方法】変更
【補正の内容】
【０１９６】
更に、本明細書において参照される全ての出版物及び特許は、それぞれの個々の出版物又は特許が参照により援用されることを明確にかつ個別に指示されるかのごとく、同じ範囲でそれらの全体が参照により本明細書に援用される。様々な例示的な実施形態が説明されてきた。これら及び他の実施形態は、以下の特許請求の範囲の範囲内である。本発明の実施態様の一部を以下の項目［１］−［４２］に記載する。
［項目１］
組成物であって、
（ａ）少なくとも２つのヒドロキシシリル部分を含む反応性シラン官能基を含む、少なくとも１つのオルガノシロキサン化合物、フッ素化オルガノシロキサン化合物、又はこれらの組み合わせと、
（ｂ）少なくとも２つのヒドロシリル部分を含む反応性シラン官能基を含む、少なくとも１つのオルガノシロキサンオリゴマー、フッ素化オルガノシロキサンオリゴマー、又はこれらの組み合わせと、
（ｃ）（１）アミジン、グアニジン、ホスファゼン、プロアザホスファトラン、及びこれらの組み合わせから選択される少なくとも１つの塩基と、（２）少なくとも１つのルイス酸と、を含む触媒組成物と、を含み、
前記成分（ａ）及び（ｂ）のうちの少なくとも一方は少なくとも３つの平均反応性シラン官能基を有し、更に前記組成物は有機溶剤を実質的に含まない、
組成物。
［項目２］
前記成分（ａ）及び（ｂ）の各々が、５，０００Ｄａ以下の重量平均分子量を有するオルガノシロキサンオリゴマーを含む、項目１に記載の組成物。
［項目３］
各オルガノシロキサンオリゴマーがジメチルシロキサンオリゴマーである、項目２に記載の組成物。
［項目４］
前記成分（ａ）がヒドロキシル末端封鎖されている、項目１〜３のいずれか一項に記載の組成物。
［項目５］
前記成分（ａ）が、
（ＨＯ）ｐ−Ｓｉ（Ｒ’）３−ｐ−［Ｇ−Ｓｉ（Ｒ’）２］ｔ−Ｏ−［（Ｒ’）２ＳｉＯ］ｑ−［Ｓｉ（Ｒ’）２−Ｇ］ｔ−Ｓｉ（Ｒ’）３−ｐ−（ＯＨ）ｐ
式中、各Ｇは、独立して二価結合基であり、
各Ｒ’は、独立して、アルキル、フルオロアルキル、アリール、フルオロアリール、
シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキルから選択され、
各ｐは、独立して１、２、又は３の整数であり、
ｑは０〜１５０の整数であり、
各ｔは、独立して０又は１の整数である、
項目１〜４のいずれか一項に記載の組成物。
［項目６］
各Ｇは、独立して、オキシ、アルキレン、アリーレン、ヘテロアルキレン、ヘテロアリーレン、シクロアルキレン、及びヘテロシクロアルキレンから選択され、
各Ｒ’は、独立して、アルキル、フルオロアルキル、及びアリールから選択され、
ｑは２０〜１００の整数であり、
ｔは０である、
項目５に記載の組成物。
［項目７］
各Ｒ’は、独立して、メチル、フェニル、−Ｃ４Ｆ９Ｃ２Ｈ４、−Ｃ６Ｆ１３Ｃ２Ｈ４、−ＣＦ３Ｃ２Ｈ４、及び−Ｃ６Ｈ５Ｃ２Ｈ４から選択される、項目６に記載の組成物。
［項目８］
前記成分（ａ）が、（１）１０，０００〜１，０００，０００の範囲の重量平均分子量を有する、少なくとも１つのポリオルガノシロキサン、フッ素化ポリオルガノシロキサン、又はこれらの組み合わせと、（２）約１５０〜約５，０００Ｄａの範囲の重量平均分子量を有する、少なくとも１つのオルガノシロキサンオリゴマー、フッ素化オルガノシロキサンオリゴマー、又はこれらの組み合わせと、の混合物を含む、項目１〜７のいずれか一項に記載の組成物。
［項目９］
前記成分（ｂ）が少なくとも３つの平均反応性シラン官能基を有する、項目１〜８のいずれか一項に記載の組成物。
［項目１０］
前記成分（ｂ）が、以下の一般式：
Ｒ’２Ｒ”ＳｉＯ（Ｒ’２ＳｉＯ）ｒ（ＨＲ’ＳｉＯ）ｓＳｉＲ”Ｒ’２
で表され、式中、各Ｒ’は、独立して、Ｈ、アルキル、アルケニル、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキルから選択され、
各Ｒ”は、独立して、Ｈ又はＲ’であり、
ｒは、０及び１５０を含む０〜１５０の整数であり、
ｓは、２及び１５０を含む２〜１５０の整数である、
項目１〜９のいずれか一項に記載の組成物。
［項目１１］
各前記Ｒ’は、独立して、アルキル、フルオロアルキル、及びアリールから選択される、項目１０に記載の組成物。
［項目１２］
各Ｒ’は、独立して、メチル、フェニル、−Ｃ４Ｆ９Ｃ２Ｈ４、−Ｃ６Ｆ１３Ｃ２Ｈ４、−ＣＦ３Ｃ２Ｈ４、及び−Ｃ６Ｈ５Ｃ２Ｈ４から選択される、項目１１に記載の組成物。
［項目１３］
Ｒ’及びＲ”はメチルであり、
ｒは０であり、
ｓは４０である、
項目１０に記載の組成物。
［項目１４］
成分（ｃ）の塩基が、
（１）以下の一般式により表されるアミジン化合物：
【化１】
2017509730.tif 000001
（２）以下の一般式により表されるグアニジン化合物：
【化２】
2017509730.tif 000002
（３）以下の一般式により表されるホスファゼン化合物：
【化３】
2017509730.tif 000003
（４）以下の一般式により表されるプロアザホスファトラン化合物：
【化４】
2017509730.tif 000004
及びこれらの組み合わせから選択され、
式中、Ｒ１、Ｒ２、Ｒ３、Ｒ４、Ｒ５、Ｒ６、及びＲ７は、それぞれ独立して、水素、一価の有機基、一価のヘテロ有機基、及びこれらの組み合わせから選択される、
項目１〜１３のいずれか一項に記載の組成物。
［項目１５］
前記塩基が、少なくとも２つのアミジン化合物、グアニジン化合物、ホスファゼン化合物、又はこれらの組み合わせを含むように選択され、更に前記少なくとも２つのアミジン、グアニジン、及びホスファゼン化合物のＲ１、Ｒ２、Ｒ３、Ｒ４、Ｒ５、Ｒ６、及びＲ７のうちいずれか２つ以上が互いに結合して、少なくとも１つの環状構造を形成する、項目１４に記載の組成物。
［項目１６］
前記塩基が、１，２−ジメチル−１，４，５，６−テトラヒドロピリミジン、１，８−ジアザビシクロ［５．４．０］−７−ウンデセン（ＤＢＵ）、１，５−ジアザビシクロ［４．３．０］−５−ノネン（ＤＢＮ）、１，５，７−トリアザビシクロ［４．４．０］デカ−５−エン（ＴＢＤ）、７−メチル−１，５，７−トリアザビシクロ［４．４．０］デカ−５−エン（ＭＴＢＤ）、２−ｔｅｒｔ−ブチル−１，１，３，３−テトラメチルグアニジン、２−ｔｅｒｔ−ブチルイミノ−２−ジエチルアミノ−１，３−ジメチルペルヒドロ−１，３，２−ジアザホスホリン、ホスファゼン塩基Ｐ１−ｔ−Ｂｕ−トリス（テトラメチレン）、ホスファゼン塩基Ｐ４−ｔ−Ｂｕ、２，８，９−トリイソプロピル−２，５，８，９−テトラアザ−１−ホスファビシクロ［３．３．３］ウンデカン、及びこれらの組み合わせから選択される、項目１〜１５のいずれか一項に記載の組成物。
［項目１７］
前記塩基がアミジン化合物、グアニジン化合物、及びこれらの組み合わせから選択される、項目１〜１６のいずれか一項に記載の組成物。
［項目１８］
前記塩基がアミジン化合物及びこれらの組み合わせから選択される、項目１７に記載の組成物。
［項目１９］
前記アミジンが、１，８−ジアザビシクロ［５．４．０］−７−ウンデセン（ＤＢＵ）、１，５−ジアザビシクロ［４．３．０］−５−ノネン（ＤＢＮ）、及びこれらの組み合わせから選択される、項目１８に記載の組成物。
［項目２０］
前記ルイス酸が、金属塩、トリアルキルボレート、トリアリールボレート、及びこれらの組み合わせから選択される、項目１〜１９のいずれか一項に記載の組成物。
［項目２１］
前記金属塩が、少なくとも１つの有機酸の金属塩である、項目２０に記載の組成物。
［項目２２］
少なくとも１つの有機酸の前記金属塩が、カルボン酸金属塩である、項目２１に記載の組成物。
［項目２３］
前記カルボン酸金属塩が、アルカン酸金属塩である、項目２２に記載の組成物。
［項目２４］
前記金属が、亜鉛、鉄、銅、ビスマス、アルミニウム、マグネシウム、及びこれらの組み合わせから選択される、項目２０〜２３のいずれか一項に記載の組成物。
［項目２５］
前記金属が、亜鉛、ビスマス、及びこれらの組み合わせから選択される、項目２０〜２４のいずれか一項に記載の組成物。
［項目２６］
前記ルイス酸が少なくとも１つの金属塩である、項目１〜２５のいずれか一項に記載の組成物。
［項目２７］
前記ルイス酸が少なくとも１つのトリアルキルボレートである、項目１〜２６のいずれか一項に記載の組成物。
［項目２８］
前記ルイス酸が亜鉛、ビスマス、アルミニウム、マグネシウム、及びこれらの組み合わせの酪酸塩（ブタン酸塩）、オクタン酸塩、ネオデカン酸塩、及びエチルヘキサン酸塩；トリメチルボレート；トリエチルボレート；トリイソプロピルボレート；トリフェニルボレート；トリ（置換フェニル）ボレート；及びこれらの組み合わせから選択される、
項目１〜２７のいずれか一項に記載の組成物。
［項目２９］
少なくとも１つのカルボン酸、少なくとも１つのカルボン酸無水物、又はこれらの組み合わせを更に含む、項目１〜２８のいずれか一項に記載の組成物。
［項目３０］
前記少なくとも１つのカルボン酸及びカルボン酸無水物が、酢酸、乳酸、無水酢酸、無水乳酸、及びこれらの組み合わせから選択される、項目２９に記載の組成物。
［項目３１］
前記組成物がスズ触媒を実質的に含まない、項目１〜３０のいずれか一項に記載の組成物。
［項目３２］
前記組成物が実質的に均質な液体混合物の形態である、項目１〜３１のいずれか一項に記載の組成物。
［項目３３］
成分（ａ）及び（ｂ）が架橋によって互いに化学的に反応した、項目１〜３２のいずれか一項に記載の組成物。
［項目３４］
組成物であって、
（ａ）ヒドロキシル末端封鎖されている、少なくとも１つのオルガノシロキサンオリゴマー、フッ素化オルガノシロキサンオリゴマー、又はこれらの組み合わせと、
（ｂ）少なくとも３つのヒドロシリル部分を含む、少なくとも１つのオルガノシロキサンオリゴマー、フッ素化オルガノシロキサンオリゴマー、又はこれらの組み合わせと、
（ｃ）（１）１，２−ジメチル−１，４，５，６−テトラヒドロピリミジン、１，８−ジアザビシクロ［５．４．０］−７−ウンデセン（ＤＢＵ）、１，５−ジアザビシクロ［４．３．０］−５−ノネン（ＤＢＮ）、１，５，７−トリアザビシクロ［４．４．０］デカ−５−エン（ＴＢＤ）、７−メチル−１，５，７−トリアザビシクロ［４．４．０］デカ−５−エン（ＭＴＢＤ）、２−ｔｅｒｔ−ブチル−１，１，３，３−テトラメチルグアニジン、及びこれらの組み合わせから選択される少なくとも１つの塩基と、（２）金属塩、トリアルキルボレート、トリアリールボレート、及びこれらの組み合わせから選択される少なくとも１つのルイス酸と、を含む触媒組成物と、を含み、前記組成物が有機溶剤を実質的に含まない、
組成物。
［項目３５］
前記成分（ａ）及び（ｂ）の各々が、５，０００Ｄａ以下の重量平均分子量を有するオルガノシロキサンオリゴマーを含む、項目３４に記載の組成物。
［項目３６］
各オルガノシロキサンオリゴマーがジメチルシロキサンオリゴマーである、項目３５に記載の組成物。
［項目３７］
前記成分（ａ）又は前記成分（ｂ）のうち少なくとも１つがフッ素化オルガノシロキサンオリゴマーである、項目３４に記載の組成物。
［項目３８］
前記ルイス酸が１：１のモル比で前記塩基と共に使用される亜鉛（ＩＩ）塩である、項目１〜３７のいずれか一項に記載の組成物。
［項目３９］
（Ｒ”Ｏ）ｐ−Ｓｉ（Ｒ’）３−ｐ−［Ｇ−Ｓｉ（Ｒ’）２］ｔ−（Ｗ）ｓ−［（Ｒ’）２ＳｉＯ］ｑ−［Ｓｉ（Ｒ’）２−Ｇ］ｔ−Ｓｉ（Ｒ’）３−ｐ−（ＯＲ”）ｐ、
（Ｒ”Ｏ）ｐ−Ｓｉ（Ｒ’）３−ｐ−［（Ｒ’）２ＳｉＯ］ｑ−（Ｗ）ｓ−［（Ｒ’）２ＳｉＯ］ｑ］−Ｓｉ（Ｒ’）３−ｐ−（ＯＲ”）ｐ、又は
Ｒ−［Ｇ−Ｓｉ（Ｒ’）２］ｔ−（Ｗ）ｓ−［（Ｒ’）２ＳｉＯ］ｑ−［Ｓｉ（Ｒ’）２−Ｇ］ｔ−［Ｓｉ（Ｒ’）３−ｐ−（ＯＲ”）ｐ］から選択される少なくとも１つのアルコキシシランを更に含み、式中、
Ｇ及びＷは、それぞれオキシ、アルキレン、アリーレン、ヘテロアリーレン、シクロアルキレン、ヘテロシクロアルキレンから独立して選択される二価結合基であり、
Ｒは、アルキル、アルキレン、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、及びヘテロフルオロシクロアルキルから選択され、
各Ｒ’は、独立して、アルキル、アルキレン、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキル、オキシアルキル、オキシアルキレン、オキシフルオロアルキル、オキシアリール、オキシフルオロアリール、オキシシクロアルキル、オキシフルオロシクロアルキル、オキシヘテロアルキル、オキシヘテロフルオロアルキル、オキシヘテロアリール、オキシヘテロフルオロアリール、オキシヘテロシクロアルキル、及びオキシヘテロフルオロシクロアルキルから選択され、
各Ｒ”は独立してアルキルから選択され、
ｐは、１、２、又は３から選択される整数であり、
各ｑは、独立して、０及び１５０を含む０〜１５０の整数として選択され、
ｓは、０及び４０を含む０〜４０の整数として選択され、
各ｔは、独立して、０又は１の整数として選択される、
項目１〜３８のいずれか一項に記載の組成物。
［項目４０］
（ａ）項目１〜３９のいずれか一項に記載の組成物を基材の少なくとも一部分に適用することと、
（ｂ）前記組成物を少なくとも部分的に硬化して前記基材上に架橋コーティングを形成することと、
を含む方法。
［項目４１］
項目４０に記載の方法によって作製される前記架橋コーティングを含む物品であって、前記基材の前記少なくとも一部分が前記基材の少なくとも１つの主表面であり、所望により、前記架橋コーティングが前記基材の前記少なくとも１つの主表面と接触する、物品。
［項目４２］
前記物品が、光重合可能な組成物を前記架橋コーティングに適用し、その後、前記光重合可能な組成物を光照射して光重合させることにより作製される感圧接着剤の層を更に含む、項目４１に記載の物品。
【手続補正２】
【補正対象書類名】特許請求の範囲
【補正対象項目名】全文
【補正方法】変更
【補正の内容】
【特許請求の範囲】
【請求項１】
組成物であって、
（ａ）少なくとも２つのヒドロキシシリル部分を含む反応性シラン官能基を含む、少なくとも１つのオルガノシロキサン化合物、フッ素化オルガノシロキサン化合物、又はこれらの組み合わせと、
（ｂ）少なくとも２つのヒドロシリル部分を含む反応性シラン官能基を含む、少なくとも１つのオルガノシロキサンオリゴマー、フッ素化オルガノシロキサンオリゴマー、又はこれらの組み合わせと、
（ｃ）（１）アミジン、グアニジン、ホスファゼン、プロアザホスファトラン、及びこれらの組み合わせから選択される少なくとも１つの塩基と、（２）少なくとも１つのルイス酸と、を含む触媒組成物と、を含み、
前記成分（ａ）及び（ｂ）のうちの少なくとも一方は少なくとも３つの平均反応性シラン官能基を有し、更に前記組成物は有機溶剤を実質的に含まない、
組成物。
【請求項２】
前記成分（ａ）及び（ｂ）の各々が、５，０００Ｄａ以下の重量平均分子量を有するオルガノシロキサンオリゴマーを含み、任意に、各オルガノシロキサンオリゴマーがジメチルシロキサンオリゴマーである、請求項１に記載の組成物。
【請求項３】
前記成分（ａ）がヒドロキシル末端封鎖されている、請求項１又は２に記載の組成物。
【請求項４】
前記成分（ａ）が、
（ＨＯ）ｐ−Ｓｉ（Ｒ’）３−ｐ−［Ｇ−Ｓｉ（Ｒ’）２］ｔ−Ｏ−［（Ｒ’）２ＳｉＯ］ｑ−［Ｓｉ（Ｒ’）２−Ｇ］ｔ−Ｓｉ（Ｒ’）３−ｐ−（ＯＨ）ｐ
式中、各Ｇは、独立して二価結合基であり、
各Ｒ’は、独立して、アルキル、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキルから選択され、
各ｐは、独立して１、２、又は３の整数であり、
ｑは０〜１５０の整数であり、
各ｔは、独立して０又は１の整数である、
請求項１〜３のいずれか一項に記載の組成物。
【請求項５】
前記成分（ａ）が、（１）１０，０００〜１，０００，０００の範囲の重量平均分子量を有する、少なくとも１つのポリオルガノシロキサン、フッ素化ポリオルガノシロキサン、又はこれらの組み合わせと、（２）約１５０〜約５，０００Ｄａの範囲の重量平均分子量を有する、少なくとも１つのオルガノシロキサンオリゴマー、フッ素化オルガノシロキサンオリゴマー、又はこれらの組み合わせと、の混合物を含む、請求項１〜４のいずれか一項に記載の組成物。
【請求項６】
前記成分（ｂ）が、以下の一般式：
Ｒ’２Ｒ”ＳｉＯ（Ｒ’２ＳｉＯ）ｒ（ＨＲ’ＳｉＯ）ｓＳｉＲ”Ｒ’２
で表され、式中、各Ｒ’は、独立して、Ｈ、アルキル、アルケニル、フルオロアルキル、アリール、フルオロアリール、シクロアルキル、フルオロシクロアルキル、ヘテロアルキル、ヘテロフルオロアルキル、ヘテロアリール、ヘテロフルオロアリール、ヘテロシクロアルキル、ヘテロフルオロシクロアルキルから選択され、
各Ｒ”は、独立して、Ｈ又はＲ’であり、
ｒは、０及び１５０を含む０〜１５０の整数であり、
ｓは、２及び１５０を含む２〜１５０の整数である、
請求項１〜５のいずれか一項に記載の組成物。
【請求項７】
成分（ｃ）の塩基が、
（１）以下の一般式により表されるアミジン化合物：
【化１】
2017509730.tif 000005
（２）以下の一般式により表されるグアニジン化合物：
【化２】
2017509730.tif 000006
（３）以下の一般式により表されるホスファゼン化合物：
【化３】
2017509730.tif 000007
（４）以下の一般式により表されるプロアザホスファトラン化合物：
【化４】
2017509730.tif 000008
及びこれらの組み合わせから選択され、
式中、Ｒ１、Ｒ２、Ｒ３、Ｒ４、Ｒ５、Ｒ６、及びＲ７は、それぞれ独立して、水素、一価の有機基、一価のヘテロ有機基、及びこれらの組み合わせから選択される、
請求項１〜６のいずれか一項に記載の組成物。
【請求項８】
前記塩基が、少なくとも２つのアミジン化合物、グアニジン化合物、ホスファゼン化合物、又はこれらの組み合わせを含むように選択され、更に前記少なくとも２つのアミジン、グアニジン、及びホスファゼン化合物のＲ１、Ｒ２、Ｒ３、Ｒ４、Ｒ５、Ｒ６、及びＲ７のうちいずれか２つ以上が互いに結合して、少なくとも１つの環状構造を形成する、請求項７に記載の組成物。
【請求項９】
前記ルイス酸が、金属塩、トリアルキルボレート、トリアリールボレート、及びこれらの組み合わせから選択される、請求項１〜８のいずれか一項に記載の組成物。
【請求項１０】
少なくとも１つのカルボン酸、少なくとも１つのカルボン酸無水物、又はこれらの組み合わせを更に含む、請求項１〜９のいずれか一項に記載の組成物。
【請求項１１】
組成物であって、
（ａ）ヒドロキシル末端封鎖されている、少なくとも１つのオルガノシロキサンオリゴマー、フッ素化オルガノシロキサンオリゴマー、又はこれらの組み合わせと、
（ｂ）少なくとも３つのヒドロシリル部分を含む、少なくとも１つのオルガノシロキサンオリゴマー、フッ素化オルガノシロキサンオリゴマー、又はこれらの組み合わせと、
（ｃ）（１）１，２−ジメチル−１，４，５，６−テトラヒドロピリミジン、１，８−ジアザビシクロ［５．４．０］−７−ウンデセン（ＤＢＵ）、１，５−ジアザビシクロ［４．３．０］−５−ノネン（ＤＢＮ）、１，５，７−トリアザビシクロ［４．４．０］デカ−５−エン（ＴＢＤ）、７−メチル−１，５，７−トリアザビシクロ［４．４．０］デカ−５−エン（ＭＴＢＤ）、２−ｔｅｒｔ−ブチル−１，１，３，３−テトラメチルグアニジン、及びこれらの組み合わせから選択される少なくとも１つの塩基と、（２）金属塩、トリアルキルボレート、トリアリールボレート、及びこれらの組み合わせから選択される少なくとも１つのルイス酸と、を含む触媒組成物と、を含み、前記組成物が有機溶剤を実質的に含まない、
組成物。
【請求項１２】
（ａ）請求項１〜１１のいずれか一項に記載の組成物を基材の少なくとも一部分に適用することと、
（ｂ）前記組成物を少なくとも部分的に硬化して前記基材上に架橋コーティングを形成することと、
を含む方法。